【手続補正書】
【提出日】平成22年12月14日(2010.12.14)
【手続補正１】
【補正対象書類名】特許請求の範囲
【補正対象項目名】全文
【補正方法】変更
【補正の内容】
【特許請求の範囲】
【請求項１】
無線端末と長距離無線データ網の基地局（ＢＳ）との間の第１の接続上で第１の通信セッションを確立するステップと、
ここに前記第１の接続は時間フレームの順列を定義する第１のプロトコルに従って稼動し、
前記無線端末と１つの周辺無線機器との間の第２の接続上で第２の通信セッションを確立するため、前記基地局により定義された前記時間フレームに基づき時間スロットを割当てるステップと、
ここに前記第２の接続は、前記第１のプロトコルとは異なる第２の、短距離・時間割当通信プロトコルで稼動し、
前記時間フレームの中に、前記第１接続上での前記基地局（ＢＳ）と前記無線端末間の下方および上方リンク送信のための時間間隔を割当てるステップと、
ここに前記割当てられた時間間隔は前記割当てられた時間スロットに重複することなく挟み込まれ、
前記割当てられた時間間隔と前記指定された時間スロットの中で、前記第１と第２の通信セッションを並列してそれぞれ実行するステップと、
を含む通信の方法。
【請求項２】
前記長距離無線データ網は、ＩＥＥＥ８０２．１６標準に基づき稼動するＷｉＭＡＸ網からなり、前記第２の接続はＢｌｕｅｔｏｏｔｈコア仕様に基づいて稼動することを特徴とする請求項１に記載の方法。
【請求項３】
前記第２のプロトコルはＢｌｕｅｔｏｏｔｈコア仕様の同期接続指向（ＳＣＯ）モードと非同期非接続リンク（ＡＣＬ）モードのうち少なくとも１つに基づき稼動することを特徴とする請求項２に記載の方法。
【請求項４】
無線ＬＡＮ（ＷＬＡＮ）の接続点（ＡＰ）との第３の接続上で、第１または第２のプロトコルとは異なる第３のプロトコルに基づいて、前記第１の接続の前記時間スロットおよび前記第２の接続の前記時間間隔と重複しない期間において、第３の通信を確立するステップと、
前記第３の通信セッションを前記第１および第２のセッションと並列に実行するステップと、を含むことを特徴とする請求項１に記載の方法。
【請求項５】
前記第３のプロトコルは１つのプロトコルからなり、そのプロトコルの中で、
前記第３の通信セッションに使用された前記期間が前記無線端末より開始され、
前記第３の通信セッションを確立する工程は、前記無線端末による、前記第１の接続の前記時間スロットと前記第２の接続の前記時間間隔が重複しないように、前記期間を選択するステップを含むことを特徴とする請求項１−４のいずれかに記載の方法。
【請求項６】
前記無線ＬＡＮがＩＥＥＥ８０２．１１標準に基づいて稼動することを特徴とする請求項１−４のいずれかに記載の方法。
【請求項７】
追加の選択的時間スロットを、従前に前記第１、第２、第３接続のうちの１つに割当られていない場合に、前記第１、第２、第３接続のうちの１つに割当てるステップを含むことを特徴とする請求項１−４のいずれかに記載の方法。
【請求項８】
前記第３の接続はＩＥＥＥ８０２．１１標準の非スケジュール省電力配送（ＵＰＳＤ）モードに基づくことを特徴とする請求項１−４のいずれかに記載の方法。
【請求項９】
前記第１の通信セッションを確立する工程は、前記第３の通信セッションが進行中に、前記無線端末を前記無線ＬＡＮから前記長距離無線データ網へ移管するステップを含むことを特徴とする請求項１−４のいずれかに記載の方法。
【請求項１０】
前記第３の通信セッションを確立する工程は、前記第３の通信セッションが進行中に、前記無線端末を前記長距離無線データ網から前記無線ＬＡＮへ移管するステップを含むことを特徴とする請求項１−４のいずれかに記載の方法。
【請求項１１】
前記時間フレームに基づいて前記時間スロットを割当てる工程は、前記割当てられた時間スロットを前記基地局により定義された前記時間フレームと同期させるステップを含むことを特徴とする請求項１−４のいずれかに記載の方法。
【請求項１２】
前記第２の通信セッションは前記無線端末と前記周辺機器との間の音声接続を含み、前記第２の通信セッション用に前記時間スロットを割当てる工程は前記時間スロットを一定の間隔で割当てるステップを含むことを特徴とする請求項１−４のいずれかに記載の方法。
【請求項１３】
前記時間フレームの中に前記時間間隔を割当てる工程は、前記基地局に対し前記無線端末が前記割当てられた時間間隔以外では前記基地局と通信できないことを通知するステップを含むことを特徴とする請求項１−４のいずれかに記載の方法。
【請求項１４】
前記第２の通信セッションを確立する工程は、
初めに、前記時間スロットのタイミングが前記周辺機器により決定されるように第２の接続を確立するステップと、
次に、前記時間スロットが前記基地局により定義された前期第１のプロトコルの前記時間フレームと同期できるようにするため、前記時間スロットのタイミングを前記無線端末により決定されるようにするステップと、
からなることを特徴とする請求項１−４のいずれかに記載の方法。
【請求項１５】
前記時間スロットのタイミングを前記無線端末により決定されるようにするステップは、前記第２のプロトコルに定義された主従交換（ＭＳＳ）手続を呼び出すステップを含むことを特徴とする請求項１４に記載の方法。
【請求項１６】
前記時間スロットのタイミングを前記無線端末により決定されるようにするステップは、
前記周辺機器のアドレスを受信した後、無線端末により前記第２の接続を中止するステップと、
前記無線端末により決定された前記時間スロットの前記タイミングと前記第２の接続を再度確立するため、前記受信したアドレスを使用して、前記無線端末により、ページング手続を開始するステップと、
を含むことを特徴とする請求項１４に記載の方法。
【請求項１７】
前記第２の通信セッションを確立する工程は、
前記周辺機器を同定するため、無線端末により、照会手続を実行するステップと、
前記照会手続の間、前記割当てられた時間スロットと前記時間間隔とを調整するステップと、を含むことを特徴とする請求項１−４のいずれかに記載の方法。
【請求項１８】
前記第２の通信セッションを確立する工程は、
前記第２のプロトコルの省電力モードで前記無線端末から前記周辺機器へ同期化送信を送信するステップと、
前記同期化送信を前記第１接続の前記時間間隔に対し優先権を与えるステップと、
を含むことを特徴とする請求項１−４のいずれかに記載の方法。
【請求項１９】
前記第２の通信セッションを確立する工程は、
ページング送信の交換を前記第１接続の前記時間間隔と調整しながら、前記無線端末と前記周辺機器との間で、前記第２の接続を確立するためページング送信を送信するステップを含むことを特徴とする請求項１−４のいずれかに記載の方法。
【請求項２０】
前記第２の通信セッションを確立する工程は、
前記第１の接続の前記時間フレームのサブセットを使用可能度減少フレームとして定義するステップと、
前記無線端末は前記使用可能度減少フレームの間、前記基地局と通信するのに使用不可能であると前記基地局に告知するステップと、
前記使用可能度減少フレームの間、前記第２の通信セッションの確立に優先権を与えるステップと、
を含むことを特徴とする請求項１−４のいずれかに記載の方法。
【請求項２１】
無線周波数（ＲＦ）装置と、
前記ＲＦ装置に信号を無線で送受信させるベースバンド演算回路と、
ここに前記送受信は、
無線端末と長距離無線データ網の基地局（ＢＳ）との間の第１の接続上で第１の通信セッションを確立するためであり、
ここに前記第１の接続は時間フレームの順列を定義する第１のプロトコルに従って稼動し、
また、前記無線端末と１つの周辺無線機器との間の第２の接続上で第２の通信セッションを確立するためであり、
ここに前記第２の接続は、前記第１のプロトコルとは異なる第２の、短距離・時間割当通信プロトコルで稼動し、  
共存演算器と、
ここに前記共存演算器は、
第２の通信セッションのため、前記基地局により定義された前記時間フレームに基づき時間スロットを割当てし、
前記時間フレームの中に、前記第１接続上での前記基地局（ＢＳ）と前記無線端末間の下方および上方リンク送信のための時間間隔を割当てするように設定され、
ここに前記割当てられた時間間隔は前記割当てられた時間スロットに重複することなく挟み込まれ、
ここに前記割当は、前記割当てられた時間間隔と前記指定された時間スロットの中で、前記第１と第２の通信セッションを並列してそれぞれ実行するためであり、
を含む無線通信端末。
【請求項２２】
前記長距離無線データ網は、ＩＥＥＥ８０２．１６標準に基づき稼動するＷｉＭＡＸ網からなり、前記第２の接続はＢｌｕｅｔｏｏｔｈコア仕様に基づいて稼動することを特徴とする請求項２１に記載の端末。
【請求項２３】
前記第２のプロトコルはＢｌｕｅｔｏｏｔｈコア仕様の同期接続指向（ＳＣＯ）モードと非同期非接続リンク（ＡＣＬ）モードのうち少なくとも１つに基づき稼動することを特徴とする請求項２１に記載の端末。
【請求項２４】
前記ベースバンド演算回路は、
無線ＬＡＮ（ＷＬＡＮ）の接続点（ＡＰ）との第３の接続上で、第１または第２のプロトコルとは異なる第３のプロトコルに基づいて、前記第１の接続の前記時間スロットおよび前記第２の接続の前記時間間隔と重複しない期間において、第３の通信を確立するステップと、
前記第３の通信セッションを前記第１および第２のセッションと並列に実行するステップと、をさらに含む処理を行うように設定されることを特徴とする請求項２１に記載の端末。
【請求項２５】
前記第３のプロトコルは１つのプロトコルからなり、そのプロトコルの中で、
前記第３の通信セッションに使用された前記期間が前記無線端末より開始され、
前記第３の通信セッションを確立する工程は、前記無線端末による、前記第１の接続の前記時間スロットと前記第２の接続の前記時間間隔が重複しないように、前記期間を選択するステップを含むことを特徴とする請求項２１−２４のいずれかに記載の端末。
【請求項２６】
前記無線ＬＡＮがＩＥＥＥ８０２．１１標準に基づいて稼動することを特徴とする請求項２１−２４のいずれかに記載の端末。
【請求項２７】
追加の選択的時間スロットを、従前に前記第１、第２、第３接続のうちの１つに割当られていない場合に、前記第１、第２、第３接続のうちの１つに割当てるように、前記共存演算器が設定されていることを特徴とする請求項２１−２４のいずれかに記載の端末。
【請求項２８】
前記第３の接続はＩＥＥＥ８０２．１１標準の非スケジュール省電力配送（ＵＰＳＤ）モードに基づくことを特徴とする請求項２１−２４のいずれかに記載の端末。
【請求項２９】
前記ベースバンド演算回路および前記共存演算器は、前記第３の通信セッションが進行中に、前記無線端末を前記無線ＬＡＮから前記長距離無線データ網へ移管するように設定されていることを特徴とする請求項２１−２４のいずれかに記載の端末。
【請求項３０】
前記ベースバンド演算回路および前記共存演算器は、前記第３の通信セッションが進行中に、前記無線端末を前記長距離無線データ網から前記無線ＬＡＮへ移管するように設定されていることを特徴とする請求項２１−２４のいずれかに記載の端末。
【請求項３１】
前記ベースバンド演算回路は、それぞれ前記基地局、前記周辺機器および前記接続点と通信するように設定された第１、第２および第３の送受信器からなり、ここにおいて前記共存演算器は、それぞれの共存インターフェースを使用して前記送受信器に接続し、また、前記共存インターフェースを介して前記送受信器に信号を送ることにより、前記時間間隔、時間スロットおよび時間期間を割当てるように設定されていることを特徴とする請求項２１−２４のいずれかに記載の端末。  
【請求項３２】
前記ベースバンド演算回路は、前記第２および第３の送受信器からなる第１のサブ回路と、前記第１の送受信機と前記共存演算器からなる第２のサブ回路とからなり、前記共存演算器は、前記第１と第２のサブ回路の間に接続される前記共存インターフェースを使用して、前記第２および第３の送受信器を制御するように設定されていることを特徴とする請求項３１に記載の端末。  
【請求項３３】
前記共存演算器は、前記割当てられた時間スロットを前記基地局により定義された前記時間フレームと同期させるように設定されていることを特徴とする請求項３１に記載の方法。
【請求項３４】
前記第２の通信セッションは前記無線端末と前記周辺機器との間の音声接続を含み、前記第２の通信セッション用に前記時間スロットを割当てる工程は前記時間スロットを一定の間隔で割当てるステップを含むことを特徴とする請求項２１−２４のいずれかに記載の端末。
【請求項３５】
前記ベースバンド演算回路は、前記基地局に対し前記無線端末が前記割当てられた時間間隔以外では前記基地局と通信できないことを通知するように設定されていることを特徴とする請求項２１−２４のいずれかに記載の端末。
【請求項３６】
前記ベースバンド演算回路は、
初めに、前記時間スロットのタイミングが前記周辺機器により決定されるように第２の接続を確立するステップと、
次に、前記時間スロットが前記基地局により定義された前期第１のプロトコルの前記時間フレームと同期できるようにするため、前記時間スロットのタイミングを前記無線端末により決定されるようにするステップと、
を実行するように設定されていることを特徴とする請求項２１−２４のいずれかに記載の端末。
【請求項３７】
前記ベースバンド演算回路は、前記第２のプロトコルに定義された主従交換（ＭＳＳ）手続を呼び出すことにより、前記時間スロットのタイミングを前記無線端末により決定されるようにすることを特徴とする請求項３６に記載の端末。
【請求項３８】
前記ベースバンド演算回路は、
前記周辺機器のアドレスを受信した後、無線端末により前記第２の接続を中止することにより、前記時間スロットのタイミングを前記無線端末により決定されるようにする  ステップと、
前記無線端末により決定された前記時間スロットの前記タイミングと前記第２の接続を再度確立するため、前記受信したアドレスを使用して、前記無線端末により、ページング手続を開始するステップと、
を実行するように設定されていることを特徴とする請求項３６に記載の端末。
【請求項３９】
前記ベースバンド演算回路は、
前記周辺機器を同定するため、無線端末により、照会手続を実行するステップと、
前記照会手続の間、前記割当てられた時間スロットと前記時間間隔とを調整するステップと、を実行するように設定されていることを特徴とする請求項２１−２４のいずれかに記載の端末。
【請求項４０】
前記ベースバンド演算回路は、
前記第２のプロトコルの省電力モードで前記無線端末から前記周辺機器へ同期化送信を送信するステップと、
前記同期化送信を前記第１接続の前記時間間隔に対し優先権を与えるステップと、
を実行するように設定されていることを特徴とする請求項２１−２４のいずれかに記載の端末。
【請求項４１】
前記ベースバンド演算回路は、前記無線端末と前記周辺機器との間で、前記第２の接続を確立するためページング送信を交換するように設定され、前記共存演算器は、ページング送信の交換を前記第１接続の前記時間間隔と調整するように設定されていることを特徴とする請求項２１−２４のいずれかに記載の端末。
【請求項４２】
前記共存演算器は、
前記第１の接続の前記時間フレームのサブセットを使用可能度減少フレームとして定義するステップと、
前記無線端末は前記使用可能度減少フレームの間、前記基地局と通信するのに使用不能であると前記基地局に告知するステップと、
前記使用可能度減少フレームの間、前記第２の通信セッションの確立に優先権を与えるステップと、
を実行するように設定されていることを特徴とする請求項２１−２４のいずれかに記載の端末。
【請求項４３】
無線端末と長距離無線データ網の基地局（ＢＳ）との間の第１の接続上で第１の通信セッションを確立するステップと、
ここに前記第１の接続は時間フレームの順列を定義する第１のプロトコルに従って稼動し、  
前記無線端末と１つの短距離無線データ網との間の第２の接続上で第２の通信セッションを確立するため、前記第１のプロトコルとは異なる第２の通信プロトコルに従って、前記基地局（ＢＳ）により定義された前記時間フレームに基づき、時間期間を割り当てるステップと、    
前記時間フレームの中に、前記第１接続上での前記基地局（ＢＳ）と前記無線端末間の下方および上方リンク送信のための時間間隔を割当てるステップと、
ここに前記割当てられた時間間隔は前記割当てられた時間スロットに重複することなく挟み込まれ、
前記割当てられた時間間隔と前記指定された時間期間の中で、前記第１と第２の通信セッションを並列してそれぞれ実行するステップと、
を有することを特徴とする通信の方法。
【請求項４４】
前記長距離無線データ網は、ロング・ターム・エボリューション（ＬＴＥ）規格に従って稼動することを特徴とする請求項４３に記載の方法。
【請求項４５】
前記長距離無線データ網は、ＩＥＥＥ８０２．１６標準に基づき稼動するＷｉＭＡＸ網からなることを特徴とする請求項４３に記載の方法。
【請求項４６】
前記第２の通信セッションで使用された前記時間期間は、前記第２のプロトコルに従って、前記無線端末により開始され、
また、前記第２の通信セッションを確立するステップは、前記第２の接続の前記時間間隔と重ならないように、前記無線端末により前記時間期間を選択するステップを有する、
ことを特徴とする請求項４３に記載の方法。
【請求項４７】
前記短距離無線データ網は、無線ＬＡＮ（ＷＬＡＮ）を含む、ことを特徴とする請求項４３に記載の方法。
【請求項４８】
前記無線ＬＡＮがＩＥＥＥ８０２．１１標準に基づいて稼動することを特徴とする請求項４７に記載の方法。
【請求項４９】
前記第２の接続はＩＥＥＥ８０２．１１標準の非スケジュール省電力配送（ＵＰＳＤ）モードに従って稼動することを特徴とする請求項４７に記載の方法。
【請求項５０】
前記第１の通信セッションを確立する工程は、前記第２の通信セッションが進行中に、前記無線端末を前記短距離無線データ網から前記長距離無線データ網へ移管するステップを含む、ことを特徴とする請求項４３に記載の方法。
【請求項５１】
前記第２の通信セッションを確立する工程は、前記第２の通信セッションが進行中に、前記無線端末を前記長距離無線データ網から前記短距離無線データ網へ移管するステップを含む、ことを特徴とする請求項４３に記載の方法。
【請求項５２】
無線周波数（ＲＦ）装置と、
前記ＲＦ装置に信号を無線で送受信させるベースバンド演算回路と、
ここに前記送受信は、
無線端末と長距離無線データ網の基地局（ＢＳ）との間の第１の接続上で第１の通信セッションを確立するためであり、
ここに前記第１の接続は時間フレームの順列を定義する第１のプロトコルに従って稼動し、
また、前記無線端末と短距離無線データ網との間の第２の接続上で第２の通信セッションを確立するためであり、
ここに前記第２の接続は、前記第１のプロトコルとは異なる第２のプロトコルで稼動し、  
共存演算器と、
ここに前記共存演算器は、
第２の通信セッションのため、前記基地局により定義された前記時間フレームに基づき時間期間を割り当てるように構成され、
前記時間フレームの中に、前記第１接続上での前記基地局（ＢＳ）と前記無線端末間の下方および上方リンク送信のための時間間隔を割当てするように設定され、
ここに前記割当てられた時間間隔は前記割当てられた時間期間に重複することなく挟み込まれ、
ここに前記割当は、前記割当てられた時間間隔と前記割り当てられた時間期間の中で、前記第１と第２の通信セッションを並列してそれぞれ実行するためであり、
を有することを特徴とする無線通信端末。
【請求項５３】
前記長距離無線データ網は、ロング・ターム・エボリューション（ＬＴＥ）規格に従って稼動することを特徴とする請求項５２に記載の端末。
【請求項５４】
前記長距離無線データ網は、ＩＥＥＥ８０２．１６標準に基づき稼動するＷｉＭＡＸ網からなることを特徴とする請求項５２に記載の端末。
【請求項５５】
前記第２の通信セッションで使用された前記時間期間は、前記第２のプロトコルに従って、前記無線端末により開始され、
また、前記共存演算器は、前記第２の接続の前記時間間隔と重ならないように、前記無線端末により前記時間期間を選択するように構成される、
ことを特徴とする請求項５２に記載の端末。
【請求項５６】
前記短距離無線データ網は、無線ＬＡＮ（ＷＬＡＮ）を含む、ことを特徴とする請求項５２に記載の端末。
【請求項５７】
前記無線ＬＡＮがＩＥＥＥ８０２．１１標準に基づいて稼動することを特徴とする請求項５６に記載の端末。
【請求項５８】
前記第２の接続はＩＥＥＥ８０２．１１標準の非スケジュール省電力配送（ＵＰＳＤ）モードに従って稼動することを特徴とする請求項５６に記載の端末。
【請求項５９】
前記ベースバンド演算回路は、前記第２の通信セッションが進行中に、前記無線端末を前記短距離無線データ網から前記長距離無線データ網へ移管するように構成される、ことを特徴とする請求項５２に記載の端末。
【請求項６０】
前記ベースバンド演算回路は、前記第２の通信セッションが進行中に、前記無線端末を前記長距離無線データ網から前記短距離無線データ網へ移管するように構成される、ことを特徴とする請求項５２に記載の端末。